(57)【特許請求の範囲】
【請求項１】
開口部の周縁部横側に設けられた収納部内に収納された状態から起動信号の入力に応じて回転移動して前記周縁部に設けられた戸当たり部に接触停止することによって前記開口部の一部分を仕切る遮蔽戸手段と、
前記開口部の周縁部上側に設けられた収納部内に収納された状態から前記周縁部上側に設けられた出入口部を通過して繰り出され、前記戸当たり部に接触停止後の前記遮蔽戸手段の側端部側に形成されている案内溝に沿って下降して、前記遮蔽戸手段によって仕切られなかった前記開口部の残りの部分を仕切る開閉体手段と、
前記遮蔽戸手段の案内溝近傍であって、前記遮蔽戸手段の回転中心に近い方向の前記周縁部上側に設けられ、前記遮蔽戸手段の一部と接触することによって遮蔽戸閉鎖信号を出力する閉鎖確認手段であって、前記遮蔽戸手段が前記周縁部上側の戸当たり部に当接して停止した場合における前記案内溝の凹部領域に、前記回転移動中における前記遮蔽戸手段の案内溝の凹部領域が交叉した時点で前記遮蔽戸閉鎖信号を出力する閉鎖確認手段と、
前記閉鎖確認手段から前記遮蔽戸閉鎖信号を入力した時点で前記開閉体手段を下降させる自動閉鎖手段と
を備えたことを特徴とする開閉体装置。
【請求項２】
請求項１に記載の開閉体装置において、前記閉鎖確認手段は、前記周縁部の上側に設けられ、前記遮蔽戸手段の上端面と接触して押し込まれることによって接点の閉じるスイッチ手段を含んで構成され、
前記スイッチ手段と前記遮蔽戸手段の上端面の一部とが接触するタイミング及び前記閉鎖確認手段の前記スイッチ手段の押し込まれる量を調整することによって前記凹部領域が互いに交叉した時点で前記遮蔽戸閉鎖信号が出力するように調整する調整手段を備えたことを特徴とする開閉体装置。
【請求項３】
請求項２に記載の開閉体装置において、前記調整手段は、前記スイッチ手段と接触するように前記遮蔽戸手段の上端面に取り付けられる調整板の取付位置及びその厚さを適宜調整することによって前記遮蔽戸閉鎖信号の出力タイミングを調整することを特徴とする開閉体装置。
【請求項４】
請求項２に記載の開閉体装置において、前記調整手段は、前記周縁部上側に取り付けられる前記スイッチ手段の取り付け位置の高さをスペーサ手段を用いて調整することによって前記遮蔽戸閉鎖信号の出力タイミングを調整することを特徴とする開閉体装置。
【請求項５】
請求項１、２、３又は４に記載の開閉体装置において、前記自動閉鎖手段は、前記起動信号の入力に応じた前記遮蔽戸手段の回転移動開始後の所定時間内に前記閉鎖確認手段から前記遮蔽戸閉鎖信号を入力した場合は前記遮蔽戸閉鎖信号の入力に応じて前記開閉体手段を下降させ、前記起動信号の入力に応じた前記遮蔽戸手段の回転移動開始後の前記所定時間内に前記閉鎖確認手段から前記遮蔽戸閉鎖信号を入力しなかった場合は前記所定時間経過後に前記開閉体手段を下降させることを特徴とする開閉体装置。
【請求項６】
請求項２、３又は４に記載の開閉体装置において、前記閉鎖確認手段は、前記周縁部上側のまぐさの水平面に形成された矩形孔を介して前記スイッチ手段の先端部が前記まぐさ下面から下方向に突出して前記遮蔽戸手段の上端面の一部と接触して所定量だけ押し込まれることによって接点の閉じるスイッチ手段によって前記遮蔽戸手段の閉鎖を検出して遮蔽戸閉鎖信号を出力することを特徴とする開閉体装置。
【請求項７】
請求項６に記載の開閉体装置において、前記調整手段は、前記周縁部上側の前記まぐさ上部に前記矩形孔を挟むように形成された段差形状の２個の取り付け金具の下側と前記閉鎖確認手段の両側との間にそれぞれ設けられるスペーサ手段を用いて、前記スイッチ手段の取り付け位置の高さを調整することによって前記遮蔽戸閉鎖信号の出力タイミングを調整することを特徴とする開閉体装置。
【請求項８】
請求項６又は７に記載の開閉体装置において、前記矩形孔は、前記スイッチ手段の先端部を突出させる突出孔を備えた上枠化粧板によって塞がれていることを特徴とする開閉体装置。
【請求項９】
請求項１から８までのいずれか１に記載の開閉体装置において、前記閉鎖確認手段から出力される前記遮蔽戸閉鎖信号は、前記遮蔽戸手段の側端部側に形成されている前記案内溝の近傍を通って、前記開閉体手段と干渉しない位置を通過して前記自動閉鎖手段に導入されていることを特徴とする開閉体装置。
【請求項１０】
請求項１から９までのいずれか１に記載の開閉体装置において、前記閉鎖確認手段は、前記遮蔽戸手段のラッチに係合するように前記周縁部上側に設けられたラッチ受け部よりも、前記遮蔽戸手段の回転軸から遠い位置に設けられることを特徴とする開閉体装置。
【発明の詳細な説明】
【技術分野】
【０００１】
本発明は、ビル、工場などの建物の出入口や大きな部屋、通路、ホール空間あるいは地下街などの構造物などの開口部を仕切るためのシート状、スラット状又はパネル状の防火カーテンなどの遮蔽部材と防火戸からなる開閉体装置に係り、特に遮蔽部材が防火戸の側端部の一部をガイドレールとして利用して開閉動作する開閉体装置に関する。
【背景技術】
【０００２】
一般に、床面積の大きいビル等の構築・構造物内部の通路やホール空間などには、火災発生時の延焼や煙の拡散を防止するために火災発生と同時に自動的に閉じるシート状、スラット状又はパネル状の防火カーテンなどの遮蔽部材を用いて、柱、壁、床などと共に３次元的に囲まれた空間、すなわち防火区画や防煙区画を形成するように動作する開閉体装置が備え付けられている。また、遮蔽部材の一部として防火戸などを用いることによって開口部を閉鎖するようにしたものもある。このようなシャッター装置には、火災以外の災害発生時や閉店時などに防火・防煙・防水・防風・防犯などのために開口部を仕切るために繰り出されるものもある。
【０００３】
最近では、図１に示すように開口部の両側端部にガイドレールを設けることなく、開口部の片側端部に設けられたガイドレール２１と隣接する防火戸１２の側端部にガイドレール２２の機能を持たせて、シャッターカーテン４をガイドレール２１と防火戸１２の側端部ガイドレール２２とに沿って閉鎖動作させるように構成された開閉体装置が提案されている。このように防火戸１２にガイドレール２２の機能を持たせた開閉体装置として、例えば、特許文献１，２に記載のようなものがある。
【先行技術文献】
【特許文献】
【０００４】
【特許文献１】実用新案登録番号第３０４３８９３号公報
【特許文献２】特開２００１−２２０９７３号公報
【発明の概要】
【発明が解決しようとする課題】
【０００５】
特許文献１に記載された開閉体装置は、床又は天井に設けた戸当り部に係止部を形成し、この係止部に係止する係止具を防火戸側に設けてある。また、防火戸の閉鎖動作に連動してシャッターカーテンを閉鎖作動させるための可動スイッチが戸当り部に設置してある。従って、防火戸が先に閉鎖して戸当たり部に当接し、係止具によって可動スイッチが押されることによってシャッターカーテンが閉鎖動作を開始するような構成になっている。
【０００６】
一方、特許文献２に記載された開閉体装置は、扉閉鎖確認信号を出力する閉鎖確認装置を規制部材に設けてある。従って、袖扉が規制部材に当接し、閉鎖確認装置のスイッチをＯＮすることによってシャッターカーテンが閉鎖動作を開始するような構成になっている。
【０００７】
ところが、特許文献１に記載の開閉体装置の場合、扉が閉鎖されて戸当たりに接触して、抑制手段が解除されることによって、係止具が扉内部から突出して係止部に係止するように構成されている。従って、抑制手段が戸当たりに接触しても解除されない場合や係止具が扉内部から突出しない場合が発生し、可動スイッチが押されることなく、シャッターカーテンの閉鎖動作を開始することができなくなるおそれがある。
【０００８】
また、特許文献２に記載の開閉体装置の場合、閉鎖確認装置のスイッチが袖扉の規制部材に設けてあるため、重量のある袖扉が規制部材に当接したときの衝撃や振動などによってスイッチに不具合が生じるおそれがある。このような構成の開閉体装置においては、防火戸が既に閉鎖しているにも係わらず可動スイッチを操作する機構が機械的な不具合によって動作しなかったり、又は衝撃や振動によって可動スイッチ自体が故障したりして、シャッターカーテンが閉鎖しない可能性があり、好ましくなかった。
【０００９】
さらに、このような構成の開閉体装置は、袖扉の閉鎖を確認した後にシャッターカーテンを降下するように連動動作制御を行なっているので、袖扉の閉鎖を確認するタイミングがシャッターカーテンの閉鎖開始タイミングを決定する重要な要因となっている。ところが、開閉体装置を開口部に設置した場合、開口部の形状や開閉体装置を構成する袖扉やシャッターカーテンの形状（規格）などに応じて、閉鎖確認装置のスイッチが袖扉の閉鎖を確認するタイミング及びシャッターカーテンの閉鎖開始タイミングが設置場所毎で異なるようになり、シャッターカーテンの実際の閉鎖状態とその閉鎖を開始するタイミングとが一致しなくなることがある。例えば、シャッターカーテンが実際に閉鎖してないにも関わらずシャッターカーテンの閉鎖が開始した場合、シャッターカーテンの先端部が防火戸の上端面に接触停止して、開口部を閉鎖することできなかったり、また、シャッターカーテンが防火戸の側端部ガイドレールの案内溝に挿入されないまま閉鎖を開始してしまうという事例が発生する可能性があった。
【００１０】
本発明の目的は、案内溝を備えた防火戸のような遮蔽戸手段の閉鎖に連動して、案内溝に沿って開閉体手段の閉鎖を開始する場合に開閉体手段が案内構内に案内されて閉鎖する確実性を向上できるように構成された開閉体装置を提供することにある。
【課題を解決するための手段】
【００１１】
本発明の開閉体装置の第１の特徴は、開口部の周縁部横側に設けられた収納部内に収納された状態から回転移動して前記周縁部に設けられた戸当たり部に接触停止することによって前記開口部の一部分を仕切る遮蔽戸手段と、前記開口部の周縁部上側に設けられた収納部内に収納された状態から前記周縁部上側に設けられた出入口部を通過して繰り出され、前記戸当たり部に接触停止後の前記遮蔽戸手段の側端部側に形成されている案内溝に沿って下降して、前記遮蔽戸手段によって仕切られなかった前記開口部の残りの部分を仕切る開閉体手段と、前記遮蔽戸手段の案内溝近傍であって、前記遮蔽戸手段の回転中心に近い方向の前記周縁部上側に設けられ、前記遮蔽戸手段の一部と接触することによって遮蔽戸閉鎖信号を出力する閉鎖確認手段であって、前記遮蔽戸手段が前記周縁部上側の戸当たり部に当接して停止した場合における前記案内溝の凹部領域に、前記回転移動中における前記遮蔽戸手段の案内溝の凹部領域が交叉した時点で前記遮蔽戸閉鎖信号を出力する閉鎖確認手段と、前記閉鎖確認手段から前記遮蔽戸閉鎖信号を入力した時点で前記開閉体手段を下降させる自動閉鎖手段とを備えたことにある。
防火戸などの遮蔽戸手段は、ビル、住宅、工場、倉庫等の建物などの構造物における出入口となる開口部や窓部あるいは内部の通路や空間などの開口部の一部を仕切る（閉鎖する）ものである。この防火戸は、通常は開口部の周縁部横側に設けられた収納部に収納されている。災害発生時には、この周縁部横側に収納された状態から回転移動して周縁部の例えば上（天井）側又は下（床）側に設けられた戸当たり部に当接することによって停止して、開口部の一部を仕切る。開閉体手段であるシャッターカーテンは、開口部の片側端部に設けられた案内溝（ガイドレール）と隣接する防火戸の側端部に形成された案内溝（ガイドレール）部に沿って開口部の周縁部上側の出入口部を通過して繰り出され、防火戸によって仕切られなかった開口部の残りの部分を仕切る（閉鎖する）。閉鎖確認手段は、防火戸の案内溝（ガイドレール）の近傍であって、防火戸の回転中心に近い方向の周縁部上側に設けられ、防火戸の一部と接触することによって遮蔽戸閉鎖信号を出力する。この発明では、閉鎖確認手段から出力される遮蔽戸閉鎖信号の出力タイミングを、防火戸が周縁部上側の戸当たり部に当接して停止した場合における案内溝の凹部領域に、回転移動中における防火戸の案内溝の凹部領域が交叉した時点としている。これによって、シャッターカーテンは両者が交叉した時点以降に閉鎖するようになるので、シャッターカーテンの先端部はガイドレールである案内溝内に確実に挿入され、案内溝の内壁面に沿って閉鎖移動するようになる。なお、案内溝の凹部領域が互いに交叉した割合が約１０〜３０パーセントの場合を交叉した時点として遮蔽戸閉鎖信号を出力するようにしてもよいし、実際に両者が交叉していなくてもその直前にある場合を交叉した時点としてもよい。
【００１２】
本発明の開閉体装置の第２の特徴は、前記第１の特徴に記載の開閉体装置において、前記閉鎖確認手段が、前記周縁部の上側に設けられ、前記遮蔽戸手段の上端面と接触して押し込まれることによって接点の閉じるスイッチ手段を含んで構成され、前記スイッチ手段と前記遮蔽戸手段の上端面の一部とが接触するタイミング及び前記閉鎖確認手段の前記スイッチ手段の押し込まれる量を調整することによって前記凹部領域が互いに交叉した時点で前記遮蔽戸閉鎖信号が出力するように調整する調整手段を備えたことにある。
この調整手段は、スイッチ手段と遮蔽戸手段の上端面の一部とが接触するタイミング及びスイッチ手段と遮蔽戸手段の上端面の一部とが接触したときにスイッチ手段が押し込まれる量を、それぞれ調整することによって遮蔽戸閉鎖信号の出力タイミングの調整を行なうように構成してある。これによって、案内溝の凹部領域が互いに交叉した時点で遮蔽戸閉鎖信号が出力され、シャッターカーテンの閉鎖を開始することが可能となる。
【００１３】
本発明の開閉体装置の第３の特徴は、前記第２の特徴に記載の開閉体装置において、前記調整手段が、前記スイッチ手段と接触するように前記遮蔽戸手段の上端面に取り付けられる調整板の取付位置及びその厚さを適宜調整することによって前記遮蔽戸閉鎖信号の出力タイミングを調整することにある。
これは、調整手段が、調整板の取付位置でスイッチ手段との接触タイミングを調整し、その厚さ（調整板自体の厚みや取付枚数）でスイッチ手段の押し込み量を調整することを明確にしたものである。
【００１４】
本発明の開閉体装置の第４の特徴は、前記第２の特徴に記載の開閉体装置において、前記調整手段は、前記周縁部上側に取り付けられる前記スイッチ手段の取り付け位置の高さをスペーサ手段を用いて調整することによって前記遮蔽戸閉鎖信号の出力タイミングを調整することにある。
これは、調整手段が、スイッチ手段の取り付け位置の高さを、スペーサ手段の厚さ（スペーサ自体の厚さや取付枚数）で調整することを明確にしたものである。
【００１５】
本発明の開閉体装置の第５の特徴は、前記第１、第２、第３又は第４の特徴に記載の開閉体装置において、前記遮蔽戸手段の回転移動開始後の所定時間内に前記閉鎖確認手段から前記遮蔽戸閉鎖信号を入力した場合は前記遮蔽戸閉鎖信号の入力に応じて前記開閉体手段を下降させ、前記遮蔽戸手段の回転移動開始後の前記所定時間内に前記閉鎖確認手段から前記遮蔽戸閉鎖信号を入力しなかった場合は前記所定時間経過後に前記開閉体手段を下降させる自動閉鎖手段を備えたことにある。
この開閉体手段は、閉鎖確認手段から閉鎖確認信号を入力することによって開閉体手段の閉鎖動作を開始するような構成になっている。従って、防火戸が閉鎖しなかった場合、又は防火戸は閉鎖しているにも係わらず閉鎖確認手段からの閉鎖確認信号が断線などのため制御部である自動閉鎖手段に到達しなかった場合には、閉鎖確認信号を入力することができず、開閉体手段は閉鎖確認信号に応じて閉鎖しないことになる。そこで、この発明では、防火戸の回転移動開始後の所定時間内に閉鎖確認手段から遮蔽戸閉鎖信号を入力した場合は遮蔽戸閉鎖信号の入力に応じて開閉体手段を閉鎖させ、防火戸の回転移動開始後の所定時間内に閉鎖確認手段から遮蔽戸閉鎖信号を入力しなかった場合は所定時間経過後に防火戸の閉鎖状況にかかわらず開閉体手段を閉鎖させることとした。これによって、防火戸が閉鎖しなかった場合、又は防火戸は閉鎖しているにも係わらず遮蔽戸閉鎖信号が自動閉鎖手段に到達しなかった場合でも、開閉体手段を閉鎖することができるという効果がある。なお、防火戸が回転移動しなかった場合には、この回転移動の指示が発された時点を基準として所定時間を計測すればよい。なお、ここで防火戸の回転移動開始後には、防火戸が全く回転移動しなくても回転移動の指示が発せられた時点以降という意味を含むものである。
【発明の効果】
【００１６】
本発明の開閉体装置によれば、案内溝を備えた防火戸のような遮蔽戸手段の閉鎖に連動して、案内溝に沿って開閉体手段の閉鎖を開始する場合に開閉体手段が案内構内に案内されて閉鎖する確実性を向上することができるという効果がある。
【図面の簡単な説明】
【００１７】
【図１】従来の開閉体装置の一例を示す図である。
【図２】本発明に係る開閉体装置である防火シャッター装置の概略構成を示す図である。
【図３】図２の防火戸の詳細構成を示す図である。
【図４】図３の防火戸とまぐさ上部の戸当たり及び床面との関係を示す図である。
【図５】閉鎖確認用スイッチの詳細構成を示す図である。
【図６】図５（Ｃ）に示した閉鎖確認用スイッチの取り付け手順工程の前半部を示す図である。
【図７】図５（Ｃ）に示した閉鎖確認用スイッチの取り付け手順工程の後半部を示す図である。
【図８】閉鎖確認用スイッチを水平面に対して左右前後に調整可能に取り付ける場合の取付手順の前半部を示す図である。
【図９】閉鎖確認用スイッチを水平面に対して左右前後に調整可能に取り付ける場合の取付手順の後半部を示す図である。
【図１０】まぐさ上部に取り付けられた閉鎖確認用スイッチと防火戸の上端面に取り付けられたリミット押し調整板との関係を示す図である。
【図１１】袖扉である防火戸とシャッターカーテンとが互いに連動して動作する袖扉連動動作フローの一例を示す図である。
【図１２】袖扉である防火戸とシャッターカーテンとが互いに連動して動作する場合のさらに別の一例を示す図である。
【発明を実施するための形態】
【００１８】
以下、添付図面に従って本発明に係る開閉体装置の一例として防火シャッター装置について説明する。図２は、本発明に係る開閉体装置である防火シャッター装置の概略構成を示す図である。この防火シャッター装置は、通常は開閉機１がシャッターカーテン４を図示しない巻取り軸に巻き取るなどして開口部の周縁部の上部に設けられた収納部に収納した開放状態にある。なお、別例としてはシャッターカーテンを巻き取らずに収納部に収納して開放状態とするものもある。この開放状態はブレーキ２で機械的に保持されることによって維持されている。そして、自動閉鎖装置３は、火災発生時には、連動中継器５を介して入力される感知器１５（または感知器を接続した連動制御器や防災盤など）からの防災信号ＢＳや電動開閉用操作部７（非常用シャッター閉鎖ボタンを含む）の操作信号に応じて、ブレーキ２による開放状態の保持を解除し、シャッターカーテン４を自重で自然降下により収納部から繰り出させることによって、開口部を閉鎖し（仕切り）、所定の防火区画を形成するようになっている。
【００１９】
連動中継器に対して防災信号ＢＳを出力する感知器１５や感知器を接続した連動制御器や防災盤などは、設置環境などにより適宜選択されて設けられる。複数の感知器などが設けられても良いが、複数の内一つ以上の感知器などが感知した場合に複数の防災ＢＳの感知に応じた数の防災信号が連動中継器に入力されるようにしてもよいし、複数の内一つ以上の感知器などが感知した場合に単一の防災信号ＢＳが連動中継器に入力されるようにしても良い。なお、防災盤や感知器を接続した連動制御器から出力される防災信号ＢＳは直流２４Ｖなど有電圧信号である場合が多いが、感知器から出力される防災信号ＢＳは無電圧信号である場合が多いので、連動中継器は入力される防災信号ＢＳに適宜対応できるように構成されている。
【００２０】
開閉機１は、シャッターカーテン４を電動で開放、閉鎖するための駆動モータである。なお、シャッターカーテン４を開閉させる必要がない通常時には、図示のような駆動源である開閉機１とブレーキ２とで構成しなくても、ブレーキ２のみで構成するようにしても良い。連動中継器５は、防災信号ＢＳの入力があった場合、自動閉鎖装置３に有電圧信号である直流２４Ｖ信号を出力するものである。連動中継器５は、通常は、商用電源１６を使用して直流２４Ｖ信号を出力するが、停電時などには連動中継器５に内蔵されている予備電源（蓄電池などのバッテリー）からの電力によって直流２４Ｖ信号を出力する。
【００２１】
自動閉鎖装置３は、従来の防火シャッター等に用いられる既知の自動閉鎖装置のように連動中継器５を介して供給される商用電源１６又は連動中継器５に内蔵されている予備電源（蓄電池）からの電力（直流２４Ｖ信号）に応じて動作する。また、自動閉鎖装置３は、シャッター用予備電源を内蔵する連動中継器５から供給される２４Ｖ信号の電力を用いて動作することにより、火災発生時に防火シャッター装置１０に対する商用電源の供給がなくとも、感知器１５などから入力される防災信号ＢＳに基づきブレーキ２を解放し、巻取り状態にある防火構造のシャッターカーテン４を自重で下降させ自動的に開口部を閉鎖することができるようになっている。
【００２２】
電動開閉用操作部７は、主にシャッター電動開閉駆動用の開閉機を操作したり、連動中継器に防災信号ＢＳが入力したときと同様の動作をさせるための起動信号を手動で入力させるものである。電動開閉用操作部７には、開閉機１へのシャッターカーテン開閉停の指示に対応した平常時操作用の入力スイッチ（押しボタンスイッチ）と、非常用シャッター閉鎖ボタンである作動ボタン、復旧ボタン及び電池試験ボタンなどを備え、さらに電池試験結果を表示したり、予備電源の状態を表示したり、コード断線状態を表示したりする種々の表示手段を備えている。図２では防火戸１２の上側に電動開閉用操作部７が図示してあるが、実際は防火戸１２近くの躯体側などの人が操作可能な位置に設置されている。電動開閉用操作部７の特に作動ボタンは、樹脂製の透明パネル（押し破りキャップ）に覆われ、非常時にこの樹脂製の透明パネルを押し込むことによって、操作可能に構成された非常用シャッター閉鎖ボタン（作動ボタン）を備えている。
【００２３】
この防火シャッター装置１０には、開閉中に障害物への接触を検出する障害物感知装置が設けられている。障害物感知装置は、図示のようにシャッターカーテン４の下端の座板上に設けられた座板スイッチ９と、シャッターカーテン４の収納ボックス内に設けられた有線式障害物感知装置１７と、これらの間を電気的に接続する信号コード１１とによって構成される。座板スイッチ９は、シャッターカーテン４の座板に取り付けてあり、この座板が人や物などの障害物に接触することによって接点の閉じるマイクロスイッチを内蔵しており、この接点が閉じた場合にそれを感知信号として有線式障害物感知装置１７に信号コード１１を介して有線方式で送信する。信号コード１１は、座板スイッチ９の感知信号を有線式障害物感知装置１７に伝送するケーブルである。このケーブルは、コードリールや移動式プーリー等により収納したりガイドしたりすることによって、シャッターカーテン４の開閉を阻害する撓みを生じないようにしている。
【００２４】
有線式障害物感知装置１７は、通常時は商用電源により動作し、座板スイッチ９からの感知信号の入力に応じて開閉機１の動作を制御し、さらに少なくとも火災発生時など非常時には、座板スイッチ９からの障害物感知信号を自動閉鎖装置３へスルー出力するものである。自動閉鎖装置３は、この有線式障害物感知装置１７からの障害物感知信号の入力に応じてシャッターカーテン４の閉動作を停止してその回避動作を行うようになっている。従って、火災発生時にシャッターカーテン４が自重下降している際に座板などが障害物に接触し、座板スイッチ９から感知信号が検出された場合に、シャッターカーテン４の自重下降を停止してその回避動作を行うようになっている。すなわち、有線式障害物感知装置１７は、通常時、シャッターカーテン４が下降中に障害物感知信号を入力した場合、シャッターカーテン４の下降動作を停止し、一定時間だけ上昇させるという制御を行う。一方、有線式障害物感知装置１７は、防災発生時などのように自動閉鎖装置３が起動して、シャッターカーテン４が下降中に、障害物感知信号を入力した場合には、その障害物感知信号を自動閉鎖装置３にスルー出力し、自動閉鎖装置３の動作を停止させ、開閉機１のブレーキ２の解放状態を戻して、一旦、シャッターカーテン４を停止させるという制御を行う。
【００２５】
シャッターカーテンに併設して防火戸を備える防火シャッター装置の一般的な構成では、シャッターカーテン４の両サイドに、開口部側端部に設けられるガイドレールと、シャッターカーテンと防火戸との間の開口部に設けられる中柱と呼ばれるガイドレールとが存在する。この実施の形態では、シャッターカーテン４の片側（図の左側）にガイドレール２１が設けられているが、中柱は存在せず、防火戸１２の側端部の一部に凹状の溝部を設けそれをガイドレール２２として利用している。従って、この実施の形態に係る開閉体装置の場合、防火戸１２が回転可動して閉鎖した（仕切った）状態にならないと、シャッターカーテン４の両サイドにガイドレールが存在しないこととなる。
【００２６】
この実施の形態に係る開閉体装置の場合、遮蔽戸手段として設けられた袖扉である防火戸１２の閉鎖動作に連動してシャッターカーテン４を閉鎖作動させるための閉鎖確認用スイッチ２４が戸当り部又は開口部のまぐさ上部に設置してあり、防火戸１２が先に閉鎖して閉鎖確認用スイッチ２４から閉鎖確認信号が出力されることによってシャッターカーテン４が閉鎖動作を開始するようになっている。閉鎖確認用スイッチ２４から出力される閉鎖確認信号は、ガイドレール２２の近傍を通って、シャッターカーテン４と干渉しない位置を通過して開閉機１及び自動閉鎖裝置３などの制御部に導入されている。防火戸１２は、常時開放式のものであり、通常は開口部側面の柱や壁などに設けられた戸袋等に収納されている。この常時開放式の防火戸１２には、閉鎖した防火戸に別途設けられた潜り戸１２１によって避難通路が確保されるようになっている。
【００２７】
防火戸１２は平常時には図示していない防火戸用自動閉鎖装置により開放状態となるように戸袋等に拘束収納されているが、防火戸用自動閉鎖装置により拘束を解かれると、自重（所謂グラビティーヒンジ使用など）やばね力（クローザー使用など）などの付勢力により閉鎖するように構成されている。防火戸用自動閉鎖装置は、連動中継器５に設けられた外部機器電源供給端子（２４ボルト出力端子：端子２４−０）に電気的に接続されており、危害防止連動中継器が起動信号の入力に応じて外部機器電源供給端子から２４［Ｖ］の電圧を防火戸用自動閉鎖装置へ有電圧信号として出力するとその電力を用いて防火戸の拘束を解き、防火戸を閉鎖させる。また、防火戸用自動閉鎖装置に防火戸用手動閉鎖装置（非常用閉鎖指示手段）が接続されている場合は、防火戸用手動閉鎖装置の操作によっても、防火戸用自動閉鎖装置は、防火戸の拘束を解き、防火戸を閉鎖させることもできる。防火戸用自動閉鎖装置は、電気的に防火戸用自動閉鎖装置へ閉鎖指示信号を出力するものであっても機械的に作用して防火戸用自動閉鎖装置を作動させるものであってもよい。
【００２８】
防火戸１２は、防火戸本体とガイドレール２２と潜り戸１２１とから構成されており、通常は、開口部側面に設けられた戸袋に収納され、防災信号ＢＳや電動開閉用操作部７（非常用シャッター閉鎖ボタンを含む）の操作信号に応じてシャッターカーテン４の閉鎖動作前に戸袋から脱出し、開口部の一部を塞ぐように回転移動してまぐさ上部の戸当たりに当接して停止する。なお、図示していないが、ガイドレール２２とシャッターカーテン４の勘合部分には、ガラスクロス材やクロロプレンゴム材等からなる気密材が、また、防火戸１２と柱との勘合部分にも、ガラスクロス材やクロロプレンゴム材等からなる気密材が、それぞれ取り付けられている。これによって、防火戸１２のガイドレール２２とシャッターカーテン４との間の隙間、及び防火戸１２と柱との間の隙間がそれぞれ塞がれ、煙の漏れを防止することができる。なお、ゴム材に代えて気密材を設けてもよく、気密材に代えてゴム材を設けてもよい。
【００２９】
図３は、図２の防火戸の詳細構成を示す図である。図４は、図３の防火戸とまぐさ上部の戸当たり及び床面との関係を示す図であり、図４（Ａ）は、防火戸が回転移動してまぐさ上部の戸当たりに当接して停止した状態を防火戸の回転軸側から見た図であり、図４（Ｂ）は、閉鎖確認用スイッチ側からラッチ側を見た図である。防火戸１２は、図３に示すように、ドアノブ１２３の扉開放操作（回転操作）に対応して解錠されるラッチ１２４をその上端（天端）に有する。ラッチ１２４は、図４（Ｂ）に示すように、上枠となる戸当たり３０に凹状のラッチ受け部３１を有する。ラッチ１２４は、伝達駆動機構１２５を介してドアノブ１２３に連結されている。このラッチ１２４及びラッチ受け部３１によって、防火戸１２はまぐさ上部の戸当たり３０に固定され、風圧などを受けても開くことはない。
【００３０】
図３に示すように、潜り戸１２１にもドアノブ１２２が存在しているが、この潜り戸１２１のラッチ（図示せず）は通常のドアと同様に側面に存在しており、このラッチによって防火戸１２に固定されるようになっている。図４に示すように、防火戸１２とまぐさ上部の戸当たり３０との間には、気密用のゴム材３３が取り付けられている。また、防火戸１２と床面との間には、同じくガラスクロス材やクロロプレンゴム材等からなる気密材３５が取り付けられている。これによって、防火戸１２とまぐさ上部の戸当たり３０及び床面との間の隙間が塞がれ、煙の漏れを防止することができる。なお、ゴム材に代えて気密材を設けてもよく、気密材に代えてゴム材を設けてもよい。
【００３１】
図５は、閉鎖確認用スイッチの詳細構成を示す図であり、図５（Ａ）はまぐさ上部に設けられた状態の閉鎖確認用スイッチの斜視図であり、図５（Ｂ），（Ｃ）はその側面図である。図６及び図７は、図５（Ｃ）に示した閉鎖確認用スイッチの取り付け手順工程の一例を示す図であり、図６は取り付け手順の前半部を示し、図７は取り付け手順の後半部を示す。図５〜図７に示した閉鎖確認用スイッチは、水平面に対して左右前後に調整不可（固定的）となるように取り付けられている。
【００３２】
図４（Ａ）及び図６に示すように、閉鎖確認用スイッチ２４は、まぐさの水平面に形成された矩形状の矩形孔６を介してロック爪３７の先端部がまぐさ下面から約４〜６［ｍｍ］程度突出するように取り付けられている。ロック爪３７は、防火戸１２の上端面に設けられたリミット押し込み調整板３８と接触することによって内部に押し込まれて（沈み込んで）、閉鎖確認用スイッチ２４に内蔵されたマイクロスイッチ（図示せず）の接点を閉じる。ロック爪３７がリミット押し込み調整板３８と接触して押し込まれ、内蔵のマイクロスイッチの接点が閉じると閉鎖確認用スイッチ２４からは閉鎖確認信号が開閉機１に送信される。
【００３３】
ロック爪３７は防火戸１２の上端面からの加圧力が無くなった場合にはバネなどの弾性力によって元の状態に復帰して、閉鎖確認用スイッチ２４から突出するように構成されている。このように、開閉確認用スイッチ２４がまぐさ上部の戸当たり３０に固定的に設けることによって、防火戸１２が閉鎖して上枠となる戸当たり３０に当接しても、それに応じて発生する衝撃や振動などの影響を開閉確認用スイッチ２４が受けることがなくなり、開閉確認用スイッチ２４の信頼性が向上する。また、開閉確認用スイッチ２４は、防火戸１２の回転中心から最も遠いところに設置してあるので、防火戸１２の閉鎖状態を検出することができる。
【００３４】
図４（Ａ）に示すように、閉鎖確認用スイッチ２４のロック爪３７の最下端部がリミット押し込み調整板３８の上面と接触した時点で、マイクロスイッチの接点が閉じ、閉鎖確認信号が出力することが最も好ましいが、防火戸１２と上枠との間の隙間が規定以上に開いてしまう場合がある。このような場合、ロック爪３７とリミット押し調整板３８とが接触しなくなると、閉鎖確認用スイッチ２４から閉鎖確認信号が出力しなくなり、防火戸１２の閉鎖を感知することができなくなるおそれがある。
【００３５】
そこで、この実施の形態では、図５（Ｂ），（Ｃ）に示すように、閉鎖確認用スイッチ２４のロック爪３７の突出量を調整可能とした。すなわち、図６に示すように、凸形をした閉鎖確認用スイッチ２４の凸部は矩形状の矩形孔６を介してまぐさ上部に突出するようにまぐさの下側から挿入される。閉鎖確認用スイッチ２４の両側は、まぐさ上部の上枠に溶着された段差形状の取り付け金具３０ａ，３０ｂの下側に、上枠リミットスペーサ３０ｅ，３０ｆを挟むようにして、ネジ３０ｃ，３０ｄによって取り付けられている。図５（Ａ），（Ｂ）では、閉鎖確認用スイッチ２４は取り付け金具３０ａ，３０ｂの下側に直接取り付けられているが、図５（Ｃ）及び図６では、閉鎖確認用スイッチ２４が上枠リミットスペーサ３０ｅ，３０ｆを挟んで、取り付け金具３０ａ，３０ｂの下側に取り付けられている。図５（Ｃ）及び図７では、残りの上枠リミットスペーサ３０ｇ，３０ｈは、ロック爪３７の突出孔３９ａを備えた上枠化粧板３９によって、閉鎖確認用スイッチ２４の下側に収納されるようになっている。上枠化粧板３９は、固定ビス３０ｊ，３０ｋによって閉鎖確認用スイッチ２４に取り付けられている。なお、この場合、上枠リミットスペーサ３０ｇ，３０ｈは必ずしも設けなくてもよい。図５（Ｃ）、図６及び図７の場合、開閉確認用スイッチ２４は、図５（Ｂ）の場合に比べて上枠リミットスペーサ３０ｅ，３０ｆの厚み分だけ下側に移動して設けられたことになり、ロック爪３７の突出量が大きくなり、ロック爪３７とリミット押し調整板３８との接触範囲を大きくすることができる。
【００３６】
図５（Ｃ）の状態でも、ロック爪３７とリミット押し調整板３８とが接触しない場合には、さらに、上枠リミットスペーサ３０ｇ，３０ｈを挟むようにすればよい。図５において、まぐさの水平面に形成された矩形状の矩形孔６は、上枠化粧板３９によって塞がれている。なお、この実施の形態では、閉鎖確認用スイッチ２４の高さ（高さ方向）を調整する場合について説明したが、この調整と同時にリミット押し調整板３８の厚さを調整するようにしてもよい。上枠リミットスペーサ３０ｅ，３０ｆのスペーサ自体の厚さやその取付枚数を適宜選択して閉鎖確認用スイッチ２４の高さを調整してもよい。また、リミット押し込み調整板３８の取付位置を防火戸１２の上端面で適宜調整して閉鎖確認用スイッチ２４とリミット押し調整板３８との接触するタイミングを調整してもよい。リミット押し調整板３８の厚さとしてリミット押し込み調整板３８自体の厚みやその取付枚数を適宜調整して、閉鎖確認用スイッチ２４の押し込み量を調整してもよい。
【００３７】
図８及び図９は、閉鎖確認用スイッチを水平面に対して左右前後に調整可能に取り付ける場合の一例を示す図であり、図８は取付手順の前半部を示し、図９は取付手順の後半部を示す。上述に示した図５〜図８の実施の形態では、高さ方向には自在にその位置を調整可能であり、水平面に対しては左右前後（厚さ方向、長手方向）に調整不可（固定的）となるように閉鎖確認用スイッチを取り付けているが、この実施の形態では、閉鎖確認用スイッチを高さ方向、水平面に対しては左右前後（厚さ方向、長手方向）に自在に調整可能に取り付けるこのとのできる構成について説明する。
【００３８】
図８及び図９において、図６及び図７と同じ構成のものには同一の符号が付してあるので、その説明は省略する。図８及び図９では、閉鎖確認用スイッチ２４ａの両側のＵ字形の切欠き部の幅、及び上枠リミットスペーサ３０ｍ，３０ｎ，３０ｒ，３０ｓのＵ字形の切欠き部の幅がそれぞれ図６及び図７の閉鎖確認用スイッチ２４ａの両側のＵ字形の切欠き部の幅、及び上枠リミットスペーサ３０ｅ，３０ｆ，３０ｇ，３０ｈのＵ字形の切欠き部の幅に比べて大きく形成されている。また、図８及び図９では、閉鎖確認用スイッチ２４ａをワッシャー３０ｐ，３０ｑを介してネジ３０ｃ，３０ｄで取り付けてある。このＵ字形の切欠き部の幅の大きさは、まぐさの矩形孔６に対して上枠化粧板３９の固定ビス３０ｊ，３０ｋを動くのを干渉しないような大きさとする。これによって、閉鎖確認用スイッチ２４ａの取り付け位置は、高さ方向、水平面に対する左右前後方向（厚さ方向、長手方向）に自在にその位置を調整することが可能となる。なお、図８及び図９の場合、閉鎖確認用スイッチ２４ａの取り付け位置が水平面に対して左右前後方向に移動するので、上枠化粧板３９は少し大きめのものとすることが好ましい。
【００３９】
図１０は、まぐさ上部に取り付けられた閉鎖確認用スイッチと防火戸の上端面に取り付けられたリミット押し調整板との関係を示す図である。図１０は、防火戸が回転移動してまぐさ上部の戸当たりに当接する直前に、リミット押し調整板３８が閉鎖確認用スイッチ２４のロック爪３７を完全に押し込んだ時点、すなわち、ロック爪３７に接触するリミット押し調整板３８の端部がロック爪３７のほぼ中心に位置した時点の防火戸を点線１２ａ，１２ｂとして示している。この時点で、ロック爪３７は、閉鎖確認用スイッチ２４側に最大量押し込まれて、閉鎖確認用スイッチ２４からは閉鎖確認信号が出力される。防火戸１２は、回転移動してまぐさ上部の戸当たりに当接した状態を示す。なお、図１０（Ａ）と図１０（Ｂ）では、閉鎖確認用スイッチ２４の周縁部上側における取り付け位置が異なる。すなわち、図１０（Ｂ）の開閉確認用スイッチ２４の方が防火戸１２の回転中心から離れた位置であり、案内溝（ガイドレール）２２近傍の周縁部上側に設けられている。
【００４０】
図１０（Ａ）の場合、まぐさ上部の戸当たりに当接後の防火戸１２のガイドレール２２の案内溝部２３の凹部領域と、当接直前の防火戸１２ａのガイドレール２２の案内溝部２３ａの凹部領域とを比較すると、両者の案内溝２３，２３ａの凹部領域は互いに交叉していない。従って、この時点でシャッターカーテン４が閉鎖した場合、シャッターカーテン４の先端部が防火戸１２ａの上端面に接触して停止する可能性がある。これに対して、図１０（Ｂ）の場合、まぐさ上部の戸当たりに当接後の防火戸１２のガイドレール２２の案内溝部２３の凹部領域と、当接直前の防火戸１２ｂのガイドレール２２の案内溝部２３ｂの凹部領域とを比較すると、両者の案内溝２３，２３ｂの凹部領域は僅かであるがその一部分が交叉している。従って、両者が交叉した時点でシャッターカーテン４が閉鎖した場合、シャッターカーテン４の先端部はガイドレール２２の案内溝２３ｂ内に挿入され、案内溝２３ｂの内壁面に沿って移動するようになる。そこで、この実施の形態では、まぐさ上部の戸当たりに当接後における防火戸のガイドレールの案内溝部の凹部領域に、当接直前（回転移動中）の防火戸のガイドレールの案内溝部の凹部領域が交叉した時点で開閉確認用スイッチ２４から閉鎖確認信号が出力するように、開閉確認用スイッチ２４及びリミット押し調整板３８の取り付け位置を調整し、開閉確認用スイッチ２４から閉鎖確認信号が出力した時点でシャッターカーテンを直ちに閉鎖させるようにした。
【００４１】
なお、上述の実施の形態では、ラッチを防火戸の上端（天端）に設ける場合について説明したが、防火戸の下端だけに設けてもよいして、上端及び下端の両方に設けてもよい。この場合、開閉確認用スイッチ２４はラッチの設けられた位置よりも防火戸の回転軸から遠い位置に設けられることが好ましい。また、上述の実施の形態では、防火戸が約９０°回転移動する場合について説明したが、開口部の形成される場所などによっては、これ以外の角度（例えば１８０°）で回転移動するような場合もある。さらに、防火戸は、上下垂直方向の回転軸を中心に回転するために、全体的に円形状の軌跡を描くように回転移動するが、これに限らず、回転軸が移動することによって、防火戸が全体的に楕円状の軌跡を描くように回転移動する場合もある。
【００４２】
図１１は、袖扉である防火戸とシャッターカーテンとが互いに連動して動作する袖扉連動動作フローの一例を示す図である。まず、ステップ６１では、連動中継器５は待機状態にある。ステップ６２では、連動中継器５は、防災信号ＢＳまたは起動信号が入力されたか否かの判定の行い、入力された（ｙｅｓ）場合は次のステップ６３以降に進み、入力されない（ｎｏ）場合はステップ６１にリターンし、起動信号が入力されるまで、ステップ６１，６２の処理を繰り返し実行する。ここで起動信号の種類として、防災信号ＢＳ、電動開閉用操作部起動スイッチからの信号、連動中継器５に設けられた点検用の起動スイッチからの信号、起動信号を離れた場所から送信する場合や複数の防災シャッター装置に一斉送信する場合などに接続されることのある外部起動スイッチからの信号などが対応する。なお、ステップ６２では、起動信号が入力されたことを判定する代わりに、起動信号の入力に応じて閉鎖する袖扉（防火戸１２）の閉鎖動作開始を図示しない袖扉状態感知手段により感知したかどうかを判定するようにしてもよい。ステップ６３では、連動中継器５に設けられた外部機器電源供給端子（２４ボルト出力端子：端子２４−０）から２４［Ｖ］の電圧を出力し、防火戸を閉鎖して袖扉連動待機状態に設定すると共に６０秒タイマをスタートさせる。
【００４３】
ステップ６４では、防火戸１２の閉鎖によって閉鎖確認用スイッチ２４から閉鎖確認信号が入力されたか否かの判定を行い、入力された（ｙｅｓ）場合は次のステップ６５に進み、入力されない（ｎｏ）場合はステップ６６に進む。ステップ６５では、閉鎖確認用スイッチ２４から閉鎖確認信号が入力されたので、６０秒タイマのカウントを停止する。ステップ６６では、閉鎖確認用スイッチ２４から閉鎖確認信号が入力されていないと判定されたので、ステップ６３でスタートされた６０秒タイマがカウントアップしたか否かの判定を行い、カウントアップした（ｙｅｓ）場合はステップ６７に進み、カウントアップしていない（ｎｏ）場合はステップ６４にリターンし、カウントアップするまで、ステップ６４，６６の処理を繰り返し実行する。
【００４４】
ステップ６７では、ステップ６４で防火戸１２の閉鎖によって閉鎖確認用スイッチ２４から閉鎖確認信号が入力された（ｙｅｓ）場合、又はステップ６６で６０秒タイマがカウントアップしたと判定された場合に実行される処理であり、自動閉鎖装置３を起動させ、シャッターカーテンの自動閉鎖処理を実行させる。このように、上述の袖扉連動動作フローでは、閉鎖確認用スイッチ２４から閉鎖確認信号が入力された場合に直ちにシャッターカーテンの閉鎖を行い、閉鎖確認信号が入力されなかった場合には、６０秒タイマをセットし、６０秒経過後に強制的にシャッターカーテンを自動閉鎖するようになっている。
【００４５】
図１２は、袖扉である防火戸とシャッターカーテンとが互いに連動して動作する場合のさらに別の一例を示す図である。図１１の袖扉連動動作フローでは、閉鎖確認信号が入力されなかった場合には、６０秒タイマをセットし、６０秒経過後に強制的にシャッターカーテンを自動閉鎖するが、この６０秒タイマのカウントアップ前に電動開閉用操作部７が操作された場合には、直ちにシャッターカーテンを強制的に降下させるようにした。まず、ステップ７１では、自動閉鎖装置３は待機状態にある。ステップ７２では、自動閉鎖装置３は、起動信号が入力されたか否かの判定の行い、入力された（ｙｅｓ）場合は次のステップ７３に進み、入力されない（ｎｏ）場合はステップ７１にリターンし、起動信号が入力されるまで、ステップ７１，７２の処理を繰り返し実行する。ステップ７３では、外部機器電源供給端子（２４ボルト出力端子：端子２４−０）から２４［Ｖ］の電圧を出力し、防火戸を閉鎖処理させて袖扉連動待機状態に設定すると共に６０秒タイマをスタートさせる。
【００４６】
ステップ７４では、閉鎖確認用スイッチ２４から閉鎖確認信号が入力されたか否かの判定を行い、入力された（ｙｅｓ）場合は次のステップ７５に進み、入力されない（ｎｏ）場合はステップ７６に進む。ステップ７５では、閉鎖確認用スイッチ２４から閉鎖確認信号が入力されたので、６０秒タイマのカウントを停止する。ステップ７６では、閉鎖確認用スイッチ２４から閉鎖確認信号が入力されていないと判定されたので、６０秒タイマスタート（ステップ７３）以降に電動開閉用操作部（手閉器）７からの起動スイッチが入力されたか否かの判定を行い、入力された（ｙｅｓ）場合はステップ７７に進み、入力されていない（ｎｏ）場合はステップ７８に進む。ステップ７７では、ステップ７６で電動開閉用操作部７からの起動スイッチが入力されたと判定されたので、６０秒タイマのカウントアップを停止して、ステップ７９に進む。
【００４７】
ステップ７８では、閉鎖確認用スイッチ２４から閉鎖確認信号が入力されず、かつ、電動開閉用操作部７からの起動スイッチも入力されていないと判定されたので、ステップ７３でスタートされた６０秒タイマがカウントアップしたか否かの判定を行い、カウントアップした（ｙｅｓ）場合はステップ７９に進み、カウントアップしていない（ｎｏ）場合はステップ７４にリターンし、カウントアップするまで、ステップ７４，７６，７８の処理を繰り返し実行する。ステップ７９では、防火戸１２の閉鎖によって閉鎖確認用スイッチ２４から閉鎖確認信号が入力されて６０秒タイマのカウントアップが停止された場合、電動開閉用操作部７からの起動スイッチが入力されて６０秒タイマのカウントアップが停止された場合、又はステップ７８で６０秒タイマがカウントアップしたと判定された場合にそれぞれ実行される処理であり、自動閉鎖装置３を起動させ、シャッターカーテンの自動閉鎖処理を実行させる。
【００４８】
図１２の袖扉連動動作フローのように、６０秒タイマのカウントアップ前に電動開閉用操作部７が操作された場合には、直ちにシャッターカーテンを強制的に降下させるようにすることによって、シャッターカーテンが降下した後でも防火戸１２を手動で閉鎖可能とすることができ、防火区画を略形成することができる。また、逆にシャッターカーテンが降下した後に、防火戸１２が閉鎖することによってシャッターカーテンが壊れたりするおそれがあるので、このような場合にはシャッターカーテン閉鎖時にのみ、まぐさから突出する戸当たりを設けて防火戸１２がシャッターカーテン４に衝突しないようにしてもよい。
【００４９】
上述の実施の形態では、防火戸１２とシャッターカーテンが連動して動作する場合について説明したが、防火戸１２を手動又は電動で閉鎖させた後に、電動開閉用操作部７を用いてシャッターカーテンを電動で操作するようにしてもよい。この場合、閉鎖確認信号が入力されていない場合すなわち防火戸１２が閉鎖していない場合には、電動開閉用操作部７の押しボタンの開閉スイッチの入力を無効とし、この状態で平常時入力スイッチの開閉スイッチが入力された場合、その入力している間だけ電動開閉用操作部７の例えば電池試験表示灯（ＬＥＤ）を点灯させ、使用者に電動開閉用操作部７で操作できないこと（防火戸１２が閉鎖していないこと）を表示するようにしてもよい。また、この状態で閉鎖確認信号の入力が３秒間継続された場合、押しボタンの開閉スイッチの入力を有効とし、シャッターカーテン及び／又は防火戸１２の電動開閉動作すなわち、通常のシャッターカーテン及び／又は防火戸１２の電動動作を可能としてもよい。
【００５０】
このように、一時的にシャッターカーテン及び／又は防火戸１２の電動動作が可能になった場合に防火戸１２が開放して閉鎖確認信号の入力がなくなった場合には、電動開閉用操作部７の停止信号を１秒間程度出力してシャッターカーテンの閉鎖動作を停止し、電動開閉用操作部７の開閉スイッチを無効とすればよい。電動開閉用操作部７の電源投入時に閉鎖確認信号が入力されていなかった場合にも同様に電動開閉用操作部７の停止信号を１秒間程度出力する。
【００５１】
閉鎖確認信号が入力されていない場合すなわち防火戸１２が閉鎖していない状態で、電動開閉用操作部７の平常時操作用入力スイッチの停止スイッチが例えば５回程度（１０秒間に５回程度）操作された場合には、例えば２分間だけ、電動開閉用操作部７の平常時操作用入力スイッチを操作（入力しているあいだのみしか開閉動作しない押し切り動作に限定）して開動作や閉動作を行なえるようにしてもよい。このように閉鎖確認信号が入力されていないのに操作可能な状態を袖扉連動強制操作状態と呼ぶ。なお、２分経過後は停止出力を例えば１秒間出力し、電動開閉用操作部７の押しボタンの開閉スイッチの入力を無効とする。
【００５２】
この袖扉連動強制操作状態中に、閉鎖確認信号の入力が３秒間継続した場合には、前述と同様に平常時操作用入力スイッチの開閉スイッチの入力を有効とし、シャッターカーテンの電動開閉動作すわなち、通常のシャッターカーテンの電動動作を可能とする。また、閉鎖確認信号が入力しておらず、電動開閉用操作部７の平常時操作用入力スイッチの開閉スイッチの入力が無効状態にある場合に、防災信号、電動開閉用操作部からの起動スイッチからの信号、点検用起動スイッチからの信号、外部起動スイッチからの信号などのいずれかの信号を入力したとしても、電動開閉用操作部７の平常時操作用入力スイッチの開閉スイッチの入力は無効状態のままとし、閉鎖確認信号の入力が３秒間継続された場合だけ、平常時操作用入力スイッチの開閉スイッチの入力を有効とする。
【００５３】
上述の図１１又は図１２の実施の形態では、扉側が開口部の両側に存在する場合には両側の扉の自動閉鎖を実行し、その後タイマのカウントアップ処理に応じて強制的にシャッターカーテンを自動閉鎖する場合について説明したが、図１１のステップ６４及び図１２のステップ７４の閉鎖確認信号入力有無の判定処理において、開口部の両側に防火戸が存在する場合には、両方の閉鎖確認信号が入力された場合を閉鎖確認信号入力有と判定する。なお、いずれか一方の防火戸側から閉鎖確認信号の入力があった場合を閉鎖確認信号入力有と判定してもよい。
【００５４】
上述の実施の形態では、起動信号が入力された場合に、閉鎖確認信号が入力された場合の処理について説明したが、連動中継器は、起動信号の入力がないのに、閉鎖確認信号が入力された場合には、この防火戸１２が誤って閉鎖されたことを示す誤閉鎖信号を出力するようにしてもよい。図示していない防火戸用自動閉鎖装置を作動させる防火戸用手動閉鎖装置を設け、この防火戸用手動閉鎖装置が操作されて防火戸が閉鎖し遮蔽戸閉鎖信号があった場合には、連動中継器は起動信号入力がなくても即または所定時間後に自閉器に２４Ｖ信号を出力し、シャッターカーテンを閉鎖させるようにしてもよい。また、この防火戸用手動閉鎖装置が防火戸非常閉鎖指示の操作をされたことを連動中継器が検出し、以後、連動中継器に起動信号が入力されたときと同様の制御（ステップ６３（又はステップ７３）以降の制御）を行なうようにしてもよい。この場合は、連動中継器に起動信号を出力する電動開閉用操作部７を省略しても人為的な非常閉鎖操作が可能である。
【００５５】
火災には適さないものもあるが、開閉体としては、例えば、シャッター装置、ブラインド装置、ロールスクリーン装置、垂れ幕装置などでも防災の種類に応じて適切な装置を選択すればよい。開閉体装置をシャッター装置とした場合、開閉体手段である開閉部材は、シャッターカーテンであり、その構成は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどによるものである。また、開閉体手段である開閉部材の材質は、使用目的に応じたものであれば、どのようなものでもよい。具体的には、金属製、木製、プラスチック製、布製、これらの複合されたものなどで構成することができる。なお、防火目的で設置される開閉体装置の場合、少なくとも開閉体手段である開閉部材の材質は、耐火性を有しているものが好ましい。
【００５６】
上述の実施の形態では、座板スイッチのように障害物に当接することによって障害物を検出するものを例に説明したが、これ以外にテープスイッチや非当接にて障害物を検出可能なものでもよい。例えば、非当接にて障害物を検出するものとして、開閉部材の両側に赤外光の発光素子と受光素子を設け、赤外光が遮断された場合に障害物を検出するようなものなどがある。また、障害物検出手段は、開口部周辺を含む開口部に存在する障害物を検出するものである。
【符号の説明】
【００５７】
１…開閉機
２…ブレーキ
３…自動閉鎖装置
４…シャッターカーテン
５…連動中継器
７…電動開閉用操作部
９…座板スイッチ
１０…防火シャッター装置
１１…信号コード
１２，１２ａ，１２ｂ…防火戸
１２１…潜り戸
１２２…ドアノブ
１２３…ドアノブ
１２４…ラッチ
１２５…伝達駆動機構
１５…感知器
１６…商用電源
１７…有線式障害物感知装置
２１…ガイドレール
２２…ガイドレール
２３，２３ａ，２３ｂ…案内溝
２４…開閉確認用スイッチ
２４ａ…閉鎖確認用スイッチ
３０…戸当たり
３０ａ，３０ｂ…取り付け金具
３０ｃ，３０ｄ…ネジ
３０ｅ，３０ｆ，３０ｇ，３０ｈ…上枠リミットスペーサ
３０ｍ，３０ｎ，３０ｒ，３０ｓ…上枠リミットスペーサ
３０ｊ，３０ｋ…固定ビス
３０ｐ，３０ｑ…ワッシャー
３１…ラッチ受け部
３３…ゴム材
３５…気密材
３７…ロック爪
３８…リミット押し込み調整板
３９…上枠化粧板
３９ａ…突出孔
【図１】
0005610756.tif 000002
【図２】
0005610756.tif 000003
【図３】
0005610756.tif 000004
【図４】
0005610756.tif 000005
【図５】
0005610756.tif 000006
【図６】
0005610756.tif 000007
【図７】
0005610756.tif 000008
【図８】
0005610756.tif 000009
【図９】
0005610756.tif 000010
【図１０】
0005610756.tif 000011
【図１１】
0005610756.tif 000012
【図１２】
0005610756.tif 000013